(57)【要約】      （修正有）【課題】組み立て分解が容易であり且つ廃棄もし易い折り畳み式陳列棚を提供する。【解決手段】折り畳み式陳列棚１００が、後板２１０と、後板２１０の左右端から前方に延び左右いずれかに傾倒可能な左右の側板２２０，２３０と、左右の側板２２０，２３０を連結する前板２４０とからなる枠体２００と、後板２１０から前方に延び傾倒方向に傾倒可能な段部３６０を有する左右の支持板３４０，３５０と、段部３６０同士の前端に、左右の支持板２２０，２３０が傾倒する際に角度が可変であるよう連結された棚縦板３１０と、該棚縦板３１０後方に延びる棚横板３２０とからなる棚板体３００とを備える。折り畳み式陳列棚１００は、棚横板３２０を折り曲げて上下方向に延在させ、左右の側板２２０，２３０および左右の支持板３４０，３５０を傾倒方向に倒すことで全体を平板状に折り畳み可能である。【選択図】図１
0003195082.tif 000002
【実用新案登録請求の範囲】
【請求項１】
上下方向に延在する後板（２１０）と、該後板（２１０）の左右端から前方に延び左右いずれかの傾倒方向に傾倒可能な上下方向に延在する左右の側板（２２０，２３０）と、該左右の側板（２２０，２３０）の前端の下端部を連結する上下方向に延在する前板（２４０）とからなる枠体（２００）と、
前記後板（２１０）に連結され該後板（２１０）の前面から前方に延び前記傾倒方向に傾倒可能な、側面視において前から後に向けて昇っていく階段状の段部（３６０）を有する左右の支持板（３４０，３５０）と、該左右の支持板（３４０，３５０）の同一高さに位置する段部（３６０）同士の前端に、前記左右の支持板が前記傾倒方向に傾倒する際に該左右の支持板（３４０，３５０）との角度が可変であるよう連結された棚縦板（３１０）と、該棚縦板（３１０）の上端もしくは上端近傍から後方に延びて前記段部（３６０）の上端に載置された棚横板（３２０）とを有し、該棚横板（３２０）が前記棚縦板（３１０）に対して折り曲げて上下方向に延在させることが可能な棚板体（３００）とを備え、
前記棚横板（３２０）を前記棚縦板（３１０）に対して折り曲げて上下方向に延在させて前記左右の側板（２２０，２３０）および左右の支持板（３４０，３５０）を前記傾倒方向に倒すことで全体を平板状に折り畳み可能であることを特徴とする折り畳み式陳列棚。
【請求項２】
前記左右の支持板（３４０，３５０）が前記段部（３６０）の上端に係止溝（３６１）を有し、前記棚横板（３２０）が該棚横板（３４０）の後端から延在する係止片（３２１）を有し、
該係止片（３２１）を下方に折り曲げて前記係止溝（３６１）に係止させることで前記棚横板（３２０）を前記棚縦板（３１０）に固定可能とすることを特徴とする請求項１に記載の折り畳み式陳列棚。
【請求項３】
前記枠体（２００）、前記棚板体（３００）が段ボールまたは厚紙からなるシート材であることを特徴とする請求項１または２に記載の折り畳み式陳列棚。
【請求項４】
前記前板（２４０）の下端から後方に延びる底板（４１０）を有し、該底板（４１０）を前記前板（２４０）に対して折り曲げて上下方向に延在させることが可能な底体（４００）を備えることを特徴とする請求項１〜３のいずれか１項に記載の折り畳み式陳列棚。
【請求項５】
前記底体（４００）が、前記前板（２４０）の下端から後方に延在する前底板（４２０）と、該前底板（４２０）と連結し且つ前記左の支持板（２２０）の下端から右方へ延在する左底板（４３０）と、前記右の支持板（２３０）の下端から左方へ延在する右底板（４４０）と、該右底板（４４０）と連結し且つ前記後板（２１０）の下端から前方に延在する後底板（４５０）とを有し、前記左右の側板（２２０，２３０）および左右の支持板（３４０，３５０）を前記傾倒方向に倒すことにより、前記前底板（４２０）、前記左底板（４３０）、右底板（４４０）および前記後底板（４５０）が平板状に折り畳み可能であることを特徴とする請求項４に記載の折り畳み式陳列棚。
【請求項６】
前記底体（４００）が段ボールまたは厚紙からなるシート材であることを特徴とする請求項４または５に記載の折り畳み式陳列棚。
【請求項７】
前記後板（２１０）が該後板（２１０）の上端に差込口（２１２）を有し
該差込口（２１２）に差し込み可能な差込片（５０２）を有するパネル体（５００）を備えた請求項１〜６のいずれか１項に記載の折り畳み式陳列棚。
【請求項８】
前記パネル体（５００）が段ボールまたは厚紙からなるシート材であることを特徴とする請求項７に記載の折り畳み式陳列棚。
【考案の詳細な説明】
【技術分野】
【０００１】
本考案は折り畳み式の陳列棚に関する。
【背景技術】
【０００２】
従来、店頭や展示会場においては、たとえば新商品等の販促品を展示するため、陳列棚が利用されている。そして、この陳列棚には、機能面において、陳列する商品の荷重に耐えられるだけの剛性が要求されるだけではなく、組み立てや分解等の作業面や保管面での利便性も要求される。
【０００３】
文献１には、紙材からなる背面壁部、一対の側面壁部、棚板および合成樹脂からなる棚板支持部を備え、ファスナにより棚板支持部を一対の側面壁部に固定して棚を形成する技術が提案されている。また、文献２には、支持側板に段ボールシートからなる折り畳み自在な棚支持部材を複数積み重ね、支持側板にピンで固定して棚を形成する技術が提案されている。
【先行技術文献】
【特許文献】
【０００４】
【特許文献１】実用新案登録第３１８５７１６号公報
【特許文献２】実用新案登録第３１８９３６２号公報
【考案の概要】
【考案が解決しようとする課題】
【０００５】
しかしながら、文献１および２に提案されている技術では、組み立てる際、ファスナまたはピンで棚板を固定するための工具を用意する可能性がある。また、ファスナまたはピンにより固定された棚板は必ずしも分解が容易であるとは言えない。さらに、陳列棚が不要になった場合、ファスナやピン等の固定部品は必ずしも廃棄が容易であるとは言えない。
【０００６】
本考案は、上記事情に鑑み、組み立て分解が容易であり且つ廃棄もし易い折り畳み式陳列棚を提供することを目的とする。
【課題を解決するための手段】
【０００７】
上記課題を解決するために、本考案の折り畳み式陳列棚は、上下方向に延在する後板と、後板の左右端から前方に延び左右いずれかの傾倒方向に傾倒可能な上下方向に延在する左右の側板と、左右の側板の前端の下端部を連結する上下方向に延在する前板とからなる枠体と、後板に連結され後板の前面から前方に延び傾倒方向に傾倒可能な、側面視において前から後に向けて昇っていく階段状の段部を有する左右の支持板と、左右の支持板の同一高さに位置する段部同士の前端に、左右の支持板が傾倒方向に傾倒する際に左右の支持板との角度が可変であるよう連結された棚縦板と、棚縦板の上端もしくは上端近傍から後方に延びて段部の上端に載置された棚横板とを有し、棚横板が棚縦板に対して折り曲げて上下方向に延在させることが可能な棚板体とを備え、棚横板を棚縦板に対して折り曲げて上下方向に延在させて左右の側板および左右の支持板を傾倒方向に倒すことで全体を平板状に折り畳み可能であることを特徴とする。
【０００８】
ここで、本考案の折り畳み式陳列棚において、上記「左右の支持板同一高さに位置する段部同士」とは、高さが同一だけではなく、前端の前後方向の位置も同一であることを意味する。
【０００９】
また、本考案の折り畳み式陳列棚において、左右の支持板が段部の上端に係止溝を有し、棚横板が棚横板の後端から延在する係止片を有し、係止片を下方に折り曲げて係止溝に係止させることで棚横板を棚縦板に固定可能とするものであってもよい。
【００１０】
また、枠体および棚板体は、段ボールまたは厚紙からなるシート材であることが望ましい。
【００１１】
また、本考案の折り畳み式陳列棚は、前板の下端から延在する底板を有し、底板を前板に対して折り曲げて前後方向に延在させることが可能な底体を備えてもよい。
【００１２】
また、本考案の折り畳み式陳列棚において、底体が、前板の下端から後方に延在する前底板と、前底板と連結し且つ左の支持板の下端から右方へ延在する左底板と、右の支持板の下端から左方へ延在する右底板と、右底板と連通し且つ後板の下端から前方に延在する後底板とを有し、左右の側板および左右の支持板を傾倒方向に倒すことにより、前底板、左底板、右底板および後底板が平板状に折り畳み可能であってもよい。
【００１３】
また、底体は段ボールまたは厚紙からなるシート材であることが望ましい。
【００１４】
また、本考案の折り畳み式陳列棚において、後板が後板の上端に差込口を有し、差込口に差し込まれる差込片を有するパネル体を備えてもよい。
【００１５】
また、パネル体は段ボールまたは厚紙からなるシート材であることが望ましい。
【考案の効果】
【００１６】
本考案の折り畳み式陳列棚によれば、棚横板を棚縦板に対して折り曲げて上下方向に延在させて左右の側板および左右の支持板を傾倒方向に倒すことで全体を平板状に折り畳み可能であるため、工具を必要とせず、容易に組み立ておよび分解ができ、ファスナやピン等の固定部品も必要としないため、不要になった場合の廃棄も容易である。
【００１７】
また、本考案の折り畳め式陳列棚によれば、係止片を下方に折り曲げて係止溝に係止させることで棚横板を棚縦板に固定可能であるため、組み立ての際に棚横板を容易に固定できるとともに、分解の際にはその解除も容易である。
【図面の簡単な説明】
【００１８】
【図１】折り畳み式陳列棚の全体を示す斜視図
【図２】折り畳み式陳列棚の内部を示す斜視図
【図３】棚横板を上下方向に延在させた状態を示す斜視図
【図４】棚横板を固定する態様を示す斜視図
【図５】折り畳み式陳列棚を下方から見た斜視図
【図６】底板を後方に延在させる態様を示す斜視図
【図７】パネル体を示す図
【図８】折り畳み式陳列棚の折り畳みおよび組み立ての態様を示す図
【考案を実施するための形態】
【００１９】
本考案に係る折り畳み式陳列棚の一実施形態について、図面を参照して詳細に説明する。また、以下の説明においては、図中のＸ軸方向を左右方向、Ｙ軸方向を前後方向、Ｚ軸方向を上下方向として説明する。また、Ｘ軸方向の長さを幅、Ｙ軸方向の長さを奥行、Ｚ軸方向の長さを高さとして説明する。
【００２０】
図１は本考案の一実施形態である折り畳み式陳列棚１００の全体を示す斜視図である。折り畳み式陳列棚１００は、枠体２００と、枠体２００の内側に設けられた棚板体３００と、枠体２００の下端に設けられた底体４００と、枠体２００の上方に着脱自在に設けられたパネル体５００とから構成されている。
【００２１】
そして、枠体２００、棚板体３００、底体４００およびパネル体５００は、段ボールや厚紙等のシート材から形成されている。なお、枠体２００、棚板体３００、底体４００およびパネル体５００の材質は、廃棄が容易なシート材であれば特に限定されるものではない。
【００２２】
最初に枠体２００について説明する。枠体２００は、図１に示すように、後板２１０と、後板２１０の左端から前方に延びる左側板２２０と、後板２１０の右端から前方に延び上下方向に延在する右側板２３０と、左側板２２０および右側板２３０の前端同士を連結する前板２４０とを有している。また、後板２１０、左側板２２０、右側板２３０および前板は、上下方向にそれぞれ延在している。
【００２３】
図２は折り畳み式陳列棚１００の内部構造示す斜視図である。図２においては、棚板体３００の一部およびパネル体５００が省略されている。後板２１０は矩形状を有している。そして、後板２１０の上端２１１には、２つの差込口２１２が開口している。
【００２４】
左側板２２０および右側板２３０は、後端が前端より高い台形状を有している。そして、左側板２２０および右側板２３０は略同一形状である。さらに、左側板２２０および右側板２３０は、後板２１０に対する角度が可変となるように、後板２１０と連結している。
【００２５】
前板２４０も矩形状を有している。前板２４０の幅は後板２１０の幅と等しいが、前板２４０の高さは後板２１０の高さよりも低くなっている。そして、前板２４０も、左側板２２０および右側板２３０に対する角度が可変となるように、左側板２２０および右側板２３０にそれぞれ連結している。
【００２６】
このように、枠体２００は四節リンク構造を構成している。したがって、左側板２２０および右側板２３０は後板２１０に対して左右方向に傾倒可能である。そして、前板２４０は、左側板２２０および右側板２３０が左右いずれかに傾倒すると、後板２１０と平行な姿勢で左右方向に移動する。
【００２７】
棚板体３００について説明する。棚板体３００は、図１に示すように、上下方向に延びる棚縦板３１０と、棚縦板３１０の後面から後方に延びる棚横板３２０とを有している。また、棚板体３００は、図２に示すように、後板２１０の前面に固定された後支持板３３０と、後支持板３３０の左端から前方に延びる左支持板３４０と、後支持板３３０の右端から前方に延びる右支持板３５０とを有している。
【００２８】
後支持板３３０は、図２に示すように、後板２１０よりも高さが低く且つ幅が狭い矩形状である。また、後支持板３３０は、その下端を後板２１０の下端に揃えた状態で、後板２１０の略中央位置に固定されている。
【００２９】
左支持板３４０および右支持板３５０は、図２に示すように、前方から後方に向かって昇っていく略同一の階段形状を有している。本実施形態において、左支持板３４０および右支持板３５０の段部３６０は３段であるが、段数は特に限定されるものではない。また、段部３６０の上端３６３の後方には係止溝３６１が形成されている。そして、左支持板３４０および右支持板３５０は、後支持板３３０に対する角度が可変となるように、後支持板３３０に連結している。
【００３０】
図３は棚横板３２０を上下方向に延在させた状態を示す図である。棚縦板３１０は矩形状を有している。棚縦板３１０の幅は後板２１０の幅と略等しい。また、棚縦板３１０の高さは、段部３６０の前端３６２の高さよりも高くなっている。これにより、棚横板３２０陳列した商品が前方に落下することを防止できる。なお、棚縦板３１０の高さを段部３６０の前端３６２の高さと等しくすることも可能である。
【００３１】
棚縦板３１０は、同じ高さの段部３６０の前端３６２（図２参照）同士を互いに連結している。棚横板３２０を上下方向に延在させた状態において、棚縦板３１０は、左支持板３４０および右支持板３５０に対する角度が可変となるように、左支持板３４０および右支持板３５０にそれぞれ連結している。
【００３２】
このように、棚横板３２０を上下方向に延在させた状態の棚板体３００も四節リンク構造を構成している。したがって、枠体２００が左右のいずれかに傾倒すると、左側板２２０もしくは右側板２３０と棚縦板３１０とが当接し、棚板体３００も同一方向に傾倒する。
【００３３】
棚横板３２０は、後板２１０の幅と略同一であり且つ段部３６０の上端３６３（図２参照）と略同一の奥行を有する矩形状である。そして、棚横板３２０は、棚縦板３１０の後面から折り曲げ自在に延びている。また、棚横板３２０の基端は、段部３６０の上端３６３近傍に位置している。棚横板３２０は、図３に示すように、基端から上方に折り曲げて上下方向に延在させることが可能である。
【００３４】
棚横板３２０は、その先端から延びる係止片３２１を有している。係止片３２１には、２つの係止溝３２２が形成されている。係止溝３２２のピッチは、同じ高さの段部３６０の係止溝３６１（図２参照）同士のピッチと等しくなっている。
【００３５】
図４は棚横板３２０を左支持板３４０および右支持板３５０に固定する態様を示す図である。棚横板３２０は、段部３６０の上端３６３（図２参照）上に載置されるまで、図中矢印で示すように、基端から下方に折り曲げ可能である。
【００３６】
棚横板３２０が上端３６３（図２参照）に載置される際、係止片３２１をさらに折り曲げ、上下方向に延在させ、係止溝３２２と係止溝３６１とを係止させることより、棚横板３２０を左支持板３４０および右支持板３５０に固定することができる。
【００３７】
底体４００について説明する。底体４００は、前板２４０の下端から後端に延在する底板４１０を有している。ここで、図５は折り畳み式陳列棚１００を下方から見た斜視図である。底体４００は、図５に示すように、前板２４０から後方に延びる前底板４２０と、左側板２２０の下端から右方に延びる左底板４３０と、右側板２３０の下端から左方に延びる右底板４４０と、後板２１０から前方に延びる後底板４５０とを有している。
【００３８】
前底板４２０と左底板４３０とは、左底板４３０が前底板４２０よりも下方となる状態で一部が重なっている。そして、その重なった部分のうち、図中ハッチングで示す略三角形状の領域４６０において互いに連結されている。
【００３９】
右底板４４０と後底板４５０とは、後底板４５０が右底板４４０より下方となる状態で重なっている。そして、重なった部分のうち、図中ハッチングで示す略三角形状の領域４７０において互いに連結されている。
【００４０】
前底板４２０と右底板４４０もその一部が重なっているが、互いに固定されていない。これにより、枠体２００および棚板体３００は、図３の状態より、左への傾倒は可能であるが、右へ傾倒することはできない構造となっている。
【００４１】
本実施形態の変形例として、前底板４２０と右底板４４０とを互いに連結し、左底板４３０と後底板４５０と互いに連結することにより、枠体２００および棚板体３００が、図３の状態より、右への傾倒は可能であるが、左へ傾倒することはできない構造としてもよい。
【００４２】
また、図３の状態から左方へ傾倒すると、前底板４２０は、領域４６０の辺４６１で山折りされ、前底板４２０および左底板４３０が上下方向に延在するとともに、後底板４５０も、領域４７０の辺４７１で山折りされ、後底板４５０および右底板４４０も上下方向に延在する。
【００４３】
図６は底板４１０を後方に延在させる態様を示す斜視図である。底板４１０は、その基端４１１から延びる連結片４１２を有している。連結片４１２は、底板４１０の基端４１１と前板２４０の上端２４１とを連結している。連結片４１２は前板２４０と略同一の矩形状である。
【００４４】
底板４１０は、連結片４１２が前板２４０の後面に当接する程度に、図中矢印で示すよう下方に折り曲げ、基端４１１から底板４１０を上方に折り返すことにより、前板２４０の下端より後方に延在させることができる。底板４１０は、前板２４０と略同一の幅であり且つ前板２４０と棚縦板３１０との間の距離に等しい奥行の矩形状を有している。
【００４５】
図７はパネル体５００を示す図である。パネル体５００は略矩形状を有している。パネル体５００は、下端５０１に２つの差込片５０２を有している。差込片５０２のピッチは、後板２１０の差込口２１２（図２参照）のピッチと同一である。
【００４６】
また、差込片５０２の幅は差込口２１２の開口寸法と略等しくなっている。パネル体５００は、その下端５０１が後板２１０の上端２１１（図２参照）に当接するまで、差込片５０２を差込口２１２に差し込むことにより、図１に示すように、後板２１０の上方に着脱自在に取り付け可能である。これにより、陳列される商品等の宣伝等が容易となる。
【００４７】
次に折り畳み式陳列棚１００の折り畳みおよび組み立ての各態様を説明する。図８は折り畳み式陳列棚１００の折り畳みから組み立てまでの各状態を示す図である。
【００４８】
折り畳み式陳列棚１００の折り畳み態様を説明する。完成状態にある折り畳み式陳列棚１００（図中Ｓ７参照）からパネル体５００を取り外し、最上段の棚横板３２０を上方に延在させる（図中Ｓ６参照）。
【００４９】
そして、中段の棚横板３２０を上方に延在させる（図中Ｓ５参照）。そして、最下段の棚横板３２０を上方に延在させる（図中Ｓ４参照）。そして、底板４１０を上方に延在させる（図中Ｓ３参照）。
【００５０】
そして、左側板２２０または右側板２３０を左方向に傾倒させ（図中Ｓ２参照）、全体を略平板状となる状態に折り畳む（図中Ｓ１参照）。棚横板３２０および底板４１０を上方に延在させた後に、左側板２２０または右側板２３０を左方向に傾倒させる限り、上記順序は限定されるものではない。
【００５１】
すなわち、パネル体５００の取り外しは、上記いずれの段階でも可能である。また、棚横板３２０および底板４１０を上方に延在させる順番も特に限定されるものではない。
【００５２】
また、折り畳み式陳列棚１００は、上記手順を逆に行うことにより、組み立てが可能であり、その詳細な説明は省略する。なお、組み立てにおいても、パネル体５００の取り付けは、いずれの段階でも可能である。また、棚横板３２０および底板４１０を後方に延在させる順番も特に限定されるものではない。
【００５３】
以上に説明した通り、本実施形態の折り畳み式陳列棚１００によれば、底板４１０および棚横板３２０を上方に延在させて左側板２２０および右側板２３０を左方向に倒すことで全体を平板状に折り畳むことが可能であり、収納面および運搬面での利便性が高い。
【００５４】
また、本実施形態の折り畳み式陳列棚１００によれば、平板状に折り畳まれた状態より、左側板２２０および右側板２３０を右方向に起こし、底板４１０および棚横板３２０を後方に延在させることで組み立てが可能であり、工具を用いる必要もなく作業性の面でも利便性が高い。
【００５５】
また、本実施形態の折り畳み式陳列棚１００によれば、枠体２００、棚板体３００、底体４００およびパネル体５００もシート材であるため、不要になった場合に廃棄が容易であり、環境面においても利便性が高い。
【符号の説明】
【００５６】
１００  折り畳み式陳列棚
２００  枠体
２１０  後板
２１１  上端
２１２  差込口
２２０  左側板
２３０  右側板
２４０  前板
２４１  差込口
３００  棚板体
３１０  棚縦板
３２０  棚横板
３２１  係止片
３４０  左支持板
３５０  右支持板
３６０  段部
３６１  係止溝
４００  底体
４１０  底板
４２０  前底板
４３０  左底板
４４０  右底板
４５０  後底板
５００  パネル体
５０２  差込片
【図１】
0003195082.tif 000003
【図２】
0003195082.tif 000004
【図３】
0003195082.tif 000005
【図４】
0003195082.tif 000006
【図５】
0003195082.tif 000007
【図６】
0003195082.tif 000008
【図７】
0003195082.tif 000009
【図８】
0003195082.tif 000010